(57)【要約】【課題】発光素子駆動回路及び発光素子駆動回路を含む携帯電話において、より効率良く液晶バックライトの輝度を変化させることである。【解決手段】バックライト６２の一方側端子に昇圧電圧を供給する昇圧回路部２０と、バックライト６２の他方側端子における電圧と予め定められた基準電圧値とを比較し、比較結果を昇圧電圧に対するフィードバック信号として昇圧回路部２０に出力する昇圧用コンパレータ２２と、バックライト６２の他方側端子に接続され、電流で駆動するＬＥＤドライバ部４０と、映像信号の内容に基づいて生成されるＰＷＭ信号であって、発光素子の輝度を可変するＰＷＭ信号を取得する取得手段と、取得されたＰＷＭ信号の時間平均化信号をＬＥＤドライバ部４０の制御信号として出力するＬＰＦ部３０と、を備える。【選択図】図２
2009124027.tif 000002
【特許請求の範囲】
【請求項１】
発光素子の一方側端子に昇圧電圧を供給する電源回路部と、
発光素子の他方側端子に接続され、発光素子を電流で駆動する駆動回路部と、
映像信号の内容に基づいて生成されるＰＷＭ信号であって、発光素子の輝度を可変するＰＷＭ信号を取得する取得手段と、
取得されたＰＷＭ信号の時間平均化信号を駆動回路部の制御信号として出力する時間平均化回路部と、
を備えることを特徴とする発光素子駆動回路。
【請求項２】
発光素子の一方側端子に昇圧電圧を供給する電源回路部と、
発光素子の他方側端子における電圧と予め定められた基準電圧値とを比較し、比較結果を昇圧電圧に対するフィードバック信号として電源回路部に出力する電圧比較回路部と、
発光素子の他方側端子に接続され、発光素子を電流で駆動する駆動回路部と、
映像信号の内容に基づいて生成されるＰＷＭ信号であって、発光素子の輝度を可変するＰＷＭ信号を取得する取得手段と、
取得されたＰＷＭ信号の時間平均化信号を駆動回路部の制御信号として出力する時間平均化回路部と、
を備えることを特徴とする発光素子駆動回路。
【請求項３】
請求項１または請求項２に記載の発光素子駆動回路において、
発光素子の他方側端子は、カソード電極であることを特徴とする発光素子駆動回路。
【請求項４】
請求項１から請求項３のいずれか１に記載の発光素子駆動回路において、
平均化回路部は、ローパスフィルタで構成されることを特徴とする発光素子駆動回路。
【請求項５】
請求項１から請求項４のいずれか１に記載の発光素子駆動回路において、
駆動回路部は、
予め定められた基準電流値から時間平均化信号に基づいた電流値を減算した電流値の電流で発光素子を駆動することを特徴とする発光素子駆動回路。
【請求項６】
請求項５に記載の発光素子駆動回路において、
発光素子駆動回路は、
半導体チップと、
半導体チップに外付けで配置される抵抗素子と、を備え、
時間平均化信号に基づいた電流値は、抵抗素子の抵抗値に応じて設定されることを特徴とする発光素子駆動回路。
【請求項７】
画像表示装置を照明する発光素子を駆動する発光素子駆動回路を有する携帯電話であって、
発光素子駆動回路は、
発光素子の一方側端子に昇圧電圧を供給する電源回路部と、
発光素子の他方側端子に接続され、発光素子を電流で駆動する駆動回路部と、
映像信号の内容に基づいて生成されるＰＷＭ信号であって、発光素子の輝度を可変するＰＷＭ信号を取得する取得手段と、
取得されたＰＷＭ信号の時間平均化信号を駆動回路部の制御信号として出力する時間平均化回路部と、
を備えることを特徴とする携帯電話。
【請求項８】
画像表示装置を照明する発光素子を駆動する発光素子駆動回路を有する携帯電話であって、
発光素子駆動回路は、
発光素子の一方側端子に昇圧電圧を供給する電源回路部と、
発光素子の他方側端子における電圧と予め定められた基準電圧値とを比較し、比較結果を昇圧電圧に対するフィードバック信号として電源回路部に出力する電圧比較回路部と、
発光素子の他方側端子に接続され、発光素子を電流で駆動する駆動回路部と、
映像信号の内容に基づいて生成されるＰＷＭ信号であって、発光素子の輝度を可変するＰＷＭ信号を取得する取得手段と、
取得されたＰＷＭ信号の時間平均化信号を駆動回路部の制御信号として出力する時間平均化回路部と、
を備えることを特徴とする携帯電話。
【発明の詳細な説明】
【技術分野】
【０００１】
本発明は、発光素子駆動回路及び携帯電話に係り、特に、発光素子の輝度を可変できる発光素子駆動回路及びその発光素子駆動回路を含む携帯電話に関する。
【背景技術】
【０００２】
近年、携帯電話のメイン液晶にて放送等の映像を見ることが多くなっており、液晶のバックライトの輝度を変化させる発光素子駆動回路が携帯電話に搭載されていることがある。一方、このようなメイン液晶のバックライトの消費電流が問題となっている。その改善方法として、映像信号の内容によって液晶のバックライトの輝度を変化させることが行われている。具体的には、明るい画像は、バックライトの輝度を上げてより明るく、暗い画像はバックライトの輝度を下げてより暗くすることで無駄な電流を減らすことにつながり、消費電流の削減効果によって、バッテリの長時間使用を可能とするような発光素子駆動回路が求められる。
【０００３】
発光素子駆動回路として、例えば、特許文献１には、電池によってＬＥＤを駆動するＬＥＤ駆動回路であって、ＬＥＤのアノード側またはカソード側に挿入され、ＬＥＤを流れる電流が所定の目標値となるように制御する定電流回路と、ＬＥＤのカソード側かつ定電流回路の下流に接続される抵抗と、ＬＥＤの順方向電圧降下と、所定の目標値となる場合における定電流回路の駆動電圧と、所定の目標値となる場合における抵抗の両端の電圧との和を所定電圧とした場合、所定電圧の値を含む範囲で電圧が残容量に応じて変動する電池と、電池とＬＥＤとの間に接続され、内部に有するスイッチがオンとなった場合、電池電圧を所定電圧以上の大きさに昇圧して出力し、当該スイッチがオフの場合、当該電池電圧をそのまま出力する昇圧回路と、定電流回路に接続され、電池電圧と所定電圧との大小関係を検知して、電池電圧が所定電圧よりも小さくなった場合のみ、昇圧回路のスイッチをオンにする制御回路が開示されている。
【０００４】
【特許文献１】特開２００５−１１８９５号公報
【発明の開示】
【発明が解決しようとする課題】
【０００５】
上記の構成を用いるにあたり、映像信号の内容に応じたＰＷＭ信号を利用して発光素子（ＬＥＤ）のカソード側に接続された定電流回路の電流値を変更し、また、発光素子のアノード側の電圧が予め定められた一定電圧になるように昇圧することで液晶のバックライトの輝度を変化させることも考えられる。この場合、発光素子のオン電圧は、プロセスバラツキ等によって変動するため、このバラツキ等を考慮した一定電圧を設定して昇圧を行う必要があるため効率が悪くなる場合がある。
【０００６】
本発明の目的は、より効率良く発光素子の輝度を変化させる発光素子駆動回路及びその発光素子駆動回路を含む携帯電話を提供することである。
【課題を解決するための手段】
【０００７】
本発明に係る発光素子駆動回路は、発光素子の一方側端子に昇圧電圧を供給する電源回路部と、発光素子の他方側端子に接続され、発光素子を電流で駆動する駆動回路部と、映像信号の内容に基づいて生成されるＰＷＭ信号であって、発光素子の輝度を可変するＰＷＭ信号を取得する取得手段と、取得されたＰＷＭ信号の時間平均化信号を駆動回路部の制御信号として出力する時間平均化回路部と、を備えることを特徴とする。
【０００８】
本発明に係る発行素子駆動回路は、発光素子の一方側端子に昇圧電圧を供給する電源回路部と、発光素子の他方側端子における電圧と予め定められた基準電圧値とを比較し、比較結果を昇圧電圧に対するフィードバック信号として電源回路部に出力する電圧比較回路部と、発光素子の他方側端子に接続され、発光素子を電流で駆動する駆動回路部と、映像信号の内容に基づいて生成されるＰＷＭ信号であって、発光素子の輝度を可変するＰＷＭ信号を取得する取得手段と、取得されたＰＷＭ信号の時間平均化信号を駆動回路部の制御信号として出力する時間平均化回路部と、を備えることを特徴とする。
【０００９】
また、本発明に係る発光素子駆動回路において、発光素子の他方側端子は、カソード電極であることが好ましい。
【００１０】
また、本発明に係る発光素子駆動回路において、平均化回路部は、ローパスフィルタで構成されることが好ましい。
【００１１】
また、本発明に係る発光素子駆動回路において、駆動回路部は、予め定められた基準電流値から時間平均化信号に基づいた電流値を減算した電流値の電流で発光素子を駆動することが好ましい。
【００１２】
また、本発明に係る発光素子駆動回路において、発光素子駆動回路は、半導体チップと、半導体チップに外付けで配置される抵抗素子と、を備え、時間平均化信号に基づいた電流値は、抵抗素子の抵抗値に応じて設定されることが好ましい。
【００１３】
本発明に係る携帯電話は、画像表示装置を照明する発光素子を駆動する発光素子駆動回路を有する携帯電話であって、発光素子駆動回路は、発光素子の一方側端子に昇圧電圧を供給する電源回路部と、発光素子の他方側端子に接続され、発光素子を電流で駆動する駆動回路部と、映像信号の内容に基づいて生成されるＰＷＭ信号であって、発光素子の輝度を可変するＰＷＭ信号を取得する取得手段と、取得されたＰＷＭ信号の時間平均化信号を駆動回路部の制御信号として出力する時間平均化回路部と、を備えることを特徴とする。
【００１４】
本発明に係る携帯電話は、画像表示装置を照明する発光素子を駆動する発光素子駆動回路を有する携帯電話であって、発光素子駆動回路は、発光素子の一方側端子に昇圧電圧を供給する電源回路部と、発光素子の他方側端子における電圧と予め定められた基準電圧値とを比較し、比較結果を昇圧電圧に対するフィードバック信号として電源回路部に出力する電圧比較回路部と、発光素子の他方側端子に接続され、発光素子を電流で駆動する駆動回路部と、映像信号の内容に基づいて生成されるＰＷＭ信号であって、発光素子の輝度を可変するＰＷＭ信号を取得する取得手段と、取得されたＰＷＭ信号の時間平均化信号を駆動回路部の制御信号として出力する時間平均化回路部と、を備えることを特徴とする。
【発明の効果】
【００１５】
上記構成の少なくとも１つにより、発光素子駆動回路は、発光素子の一方側端子に昇圧電圧を供給する電源回路部と、発光素子の他方側端子における電圧と予め定められた基準電圧値とを比較し、比較結果を昇圧電圧に対するフィードバック信号として電源回路部に出力する電圧比較回路部と、発光素子の他方側端子に接続され、発光素子を電流で駆動する駆動回路部と、映像信号の内容に基づいて生成されるＰＷＭ信号であって、発光素子の輝度を可変するＰＷＭ信号を取得する取得手段と、取得されたＰＷＭ信号の時間平均化信号を駆動回路部の制御信号として出力する時間平均化回路部とを有する。したがって、より効率良く発光素子の輝度を変化させることが可能である。
【発明を実施するための最良の形態】
【００１６】
以下に、図面を用いて本発明に係る実施の形態につき詳細に説明する。なお、以下では、発光素子は液晶バックライトに用いられるものとして説明するが、輝度を可変する発光素子を用いたその他の表示装置であってもよい。
【００１７】
図１は、液晶バックライト輝度変更システム８を示す図である。図２は、発光素子駆動回路部１０を示す図である。液晶バックライト輝度変更システム８は、液晶部６０と、映像処理回路部５０と、制御部７０と、発光素子駆動回路部１０とを含んで構成される。液晶バックライト輝度変更システム８は、液晶のバックライト６２の輝度を映像信号の内容に応じて変更する機能を有する。
【００１８】
液晶部６０は、液晶の素子を組み込んだ画像表示装置である。液晶部６０は、バックライト６２と、図示していない液晶素子と偏光フィルタと、を含んで構成される。液晶部６０は、バックライト６２の光源により発せられた光をさえぎったり透過させたりすることによって表示をする。
【００１９】
バックライト６２は、カソード（陰極）に対し、アノード（陽極）に順方向に電圧を加えた際に発光する発光素子である。バックライト６２のオン電圧としては、通常は３．６ｖ付近であるが、このオン電圧はプロセスバラツキ等によって変動する。また、バックライト６２に流れる電流値を変更することで輝度を変化させることができる。
【００２０】
映像処理回路部５０は、放送等の映像信号を処理した信号を液晶部６０に入力する機能を有する。また、映像処理回路部５０は、その映像信号の内容に応じた輝度調整用の信号としてＰＷＭ（Ｐｕｌｓｅ  Ｗｉｄｔｈ  Ｍｏｄｕｌａｔｉｏｎ）信号を生成し、発光素子駆動回路部１０に入力する機能を有する。なお、映像信号の内容に応じたＰＷＭ信号は、具体的には、明るい画像は、バックライト６２の輝度を上げてより明るく、暗い画像はバックライト６２の輝度を下げてより暗くするような信号である。映像処理回路部５０は、液晶部６０と発光素子駆動回路部１０と電気的に接続されている。ここでは、輝度変化調整用のＰＷＭ信号は、輝度用ＰＷＭ信号と呼ぶ。
【００２１】
制御部７０は、発光素子駆動回路部１０の制御を行うマイクロコンピュータである。また、制御部７０は、シリアル信号によって発光素子駆動回路部１０と通信を行う。制御部７０は、発光素子駆動回路部１０のＬＥＤドライバ部４０と電気的に接続されている。
【００２２】
発光素子駆動回路部１０は、ＬＥＤドライバ部４０と、昇圧回路部２０と、ＬＰＦ部３０とを含んで構成される。発光素子駆動回路部１０は、映像処理回路部５０から出力される輝度用ＰＷＭ信号を時間で平均化された時間平均化信号に変換し、時間平均化信号に応じて発光素子の輝度を調整する機能を有する。
【００２３】
ＬＰＦ部３０は、映像処理回路部５０より出力される輝度用ＰＷＭ信号を入力として受け、その輝度用ＰＷＭ信号を時間平均化して出力する時間平均化回路部である。ＬＰＦ部３０は、例えば、コンデンサと抵抗器といった回路素子を用いて構成されるローパスフィルタを用いることができる。ＬＰＦ部３０は、映像処理回路部５０とＬＥＤドライバ部４０と電気的に接続されている。なお、輝度用ＰＷＭ信号は、デューティーを変更してスイッチングする信号であるから、そのままＬＥＤドライバ部４０に入力されるとノイズ発生を抑制するために、その信号配線の周囲にアルミ配線等を施すことが必要となる。しかし、ＬＰＦ部３０によって時間平均化された信号がＬＥＤドライバ部４０に入力される場合には、上記のようなノイズ対策は場合によっては行う必要がなくなるというメリットがある。
【００２４】
ＬＥＤドライバ部４０は、電流回路部４２と、電流値設定回路部４６とを含んで構成される駆動回路である。ＬＥＤドライバ部４０は、時間平均化信号に応じて発光素子に流れる電流が所定の目標値となるように制御する機能を有する。ＬＥＤドライバ部４０は、制御部７０と、ＬＰＦ部３０と、液晶部６０のバックライト６２のカソード端子に電気的に接続される。
【００２５】
電流回路部４２は、後述する電流値設定回路部４６によって設定される電流値をバックライト６２に流すカレントミラー回路である。電流回路部４２は、一端がバックライト６２のカソード端子に電気的に接続され、他端が電流値設定回路部４６に電気的に接続されている。
【００２６】
電流値設定回路部４６は、ＬＰＦ部３０によって出力された値に基づいた電流値を求め、電流回路部４２に対して電流値の設定を行う機能を有する。電流値設定回路部４６は、ＬＰＦ部３０と、電流回路部４２に電気的に接続されている。電流値設定回路部４６の詳細な回路図については、図３を用いて詳細な説明を後述する。
【００２７】
昇圧回路部２０は、昇圧用コンパレータ２２と、昇圧用ＰＷＭ回路２４と、昇圧用トランジスタ２５と、昇圧用コイル２６と、昇圧用ダイオード２７と、昇圧用コンデンサ２８とを含んで構成される。昇圧回路部２０は、バックライト６２のアノード側端子とカソード側端子に電気的に接続され、カソード側端子の電圧に基づいて昇圧を行い、アノード側端子に昇圧電圧を供給する機能を有する。昇圧回路部２０は、電流回路部４２と、バックライト６２と電気的に接続されている。
【００２８】
昇圧用コンパレータ２２は、二つの入力電圧の大きさを比較し、その入力電圧の差を増幅して出力する回路である。昇圧用コンパレータ２２の一方側の入力端子に入力される基準電圧は、例えば０．２ｖの電位を有する基準電源２１によって供給される。昇圧用コンパレータ２２の他方側の入力端子は、フィードバック信号２９として、バックライト６２のカソード端子と接続され、昇圧用コンパレータ２２は、バックライト６２のカソード側電位と基準電圧との比較を行う。また、昇圧用コンパレータ２２の出力は昇圧用ＰＷＭ回路２４に入力される。
【００２９】
昇圧用ＰＷＭ回路２４は、変調方法の一つであり、パルス波のデューティー比を変化させて変調する回路である。具体的には、昇圧用コンパレータ２２による比較結果を入力として受け、その比較結果に基づいてパルス波のデューティー比を変更する。そして、比較結果に基づいたパルス波によって、昇圧用トランジスタ２５のスイッチング制御を行う機能を有する。
【００３０】
昇圧用トランジスタ２５は、ゲート電極に電圧をかけ、チャネルの電界により電子または正孔の流れに関門（ゲート）を設ける原理で、ソース・ドレイン端子間の電流を制御するＭＯＳトランジスタである。昇圧用トランジスタ２５は、昇圧用ＰＷＭ回路２４から出されるパルス波がゲート電極に印加されてスイッチング制御がなされる。昇圧用トランジスタ２５は、ゲート電極が昇圧用ＰＷＭ回路２４の出力と電気的に接続され、ドレイン電極が昇圧用コイル２６および昇圧用ダイオード２７のアノード電極と電気的に接続され、ソース電極が接地されている。
【００３１】
昇圧用コイル２６は、一端が発光素子駆動回路部１０の電源電圧に接続され、他端が昇圧用トランジスタ２５のドレイン電極と、昇圧用ダイオード２７のアノード電極に接続されている。昇圧用コイル２６は、昇圧用トランジスタ２５がオン状態となったときに電源電圧が印加される状態となりエネルギが蓄積される。
【００３２】
昇圧用ダイオード２７は、整流作用（電流を一定方向にしか流さない作用）を持つ回路素子である。昇圧用ダイオード２７は、昇圧用トランジスタ２５がオフ状態となったときにエネルギが蓄積された昇圧用コイル２６が電圧源のように機能して、昇圧用ダイオード２７を経由して負荷に電流が流される。昇圧用ダイオード２７は、アノード電極が昇圧用コイル２６および昇圧用トランジスタ２５と電気的に接続されている。
【００３３】
昇圧用コンデンサ２８は、静電容量により電荷（電気エネルギ）を蓄えたり、放出したりする回路素子である。昇圧用コンデンサ２８は、昇圧用トランジスタ２５がオフ状態となったときに、昇圧用コイル２６から流れてくる電荷を蓄積する機能を有する。昇圧用コンデンサ２８は、一端側が昇圧用ダイオード２７のカソード電極およびバックライト６２のアノード電極と電気的に接続され、他端側が接地される。
【００３４】
図３は、電流値設定回路部４６とそれに接続される回路を示す図である。電流値設定回路部４６は、ＤＣ側抵抗４６２と、ＤＣ側コンパレータ４６３と、ＤＣ側トランジスタ４６４と、ＤＣ側カレントミラー回路４６５と、基準電流源４６８と、ＤＡ回路４６６とを含んで構成される。
【００３５】
ＤＣ側抵抗４６２は、電流の流れを抑制する回路素子である。ＤＣ側抵抗４６２の一端側には、輝度用ＰＷＭ信号のハイレベルに相当する電圧が出力される電圧源が接続され、他端側にはＤＣ側コンパレータ４６３と、ＤＣ側トランジスタ４６４とが接続されている。ここで、輝度用ＰＷＭ信号のハイレベルに相当する電圧がＤＣ側抵抗４６２によって分圧された電圧をここではＤＣ側基準電圧として、ＤＣ側コンパレータ４６３に入力される。なお、ＤＣ側抵抗４６２は、発光素子駆動回路部１０が設けられる半導体基板に外付抵抗素子として設けられ、必要に応じて抵抗値を変えてＤＣ側トランジスタ４６４に流れる電流値を変更することも可能である。
【００３６】
ＤＣ側コンパレータ４６３は、上記のＤＣ側基準電圧と、ＬＰＦ部３０によって出力された電圧とを比較しその差分を出力する。ＤＣ側コンパレータ４６３の出力は、ＤＣ側トランジスタ４６４に入力される。
【００３７】
ＤＣ側トランジスタ４６４は、それぞれの電極がＤＣ側抵抗４６２と、ＤＣ側カレントミラー回路４６５と、ＤＣ側コンパレータ４６３に電気的に接続される。ＤＣ側トランジスタ４６４は、ＤＣ側コンパレータ４６３の出力電圧に応じた電流が流れる。つまり、輝度用ＰＷＭ信号に応じた電流であるＰＷＭ電流が流れる。ＤＣ側トランジスタ４６４としては、バイポーラトランジスタを用いることができ、またＭＯＳトランジスタも用いることができる。
【００３８】
ＤＣ側カレントミラー回路４６５は、左側トランジスタ４６５ａに流れる電流と右側トランジスタ４６５ｂに流れる電流とが同じ値となる。ＤＣ側カレントミラー回路４６５は、ＤＣ側トランジスタ４６４がオン状態となったときに左側トランジスタ４６５ａに流れるＰＷＭ電流と同じ値のＰＷＭ電流が右側トランジスタ４６５ｂにも流れる。
【００３９】
基準電流源４６８は、予め定められ電流値を流す電流源である。基準電流源４６８は、一端が予め定められた電源電圧に接続され、他端がＤＡ回路４６６とＤＣ側カレントミラー回路４６５と電気的に接続されている。
【００４０】
ＤＡ回路４６６は、デジタル信号をアナログ信号に変換する回路である。ＤＡ回路４６６は、基準電流源４６８によって流れる基準電流値からＤＣ側カレントミラー回路４６５によって減算された電流値の電流が入力されてアナログ信号に変換し、電流回路部４２にそのアナログ信号を入力する。
【００４１】
上記構成の作用について説明する。まず、映像処理回路部５０は、映像信号の内容に応じた輝度用ＰＷＭ信号を生成する。この輝度用ＰＷＭ信号がＬＰＦ部３０に入力され輝度用ＰＷＭ信号の時間平均化信号が出力される。そして、ＤＣ側コンパレータ４６３は、ＬＰＦ部３０によって出力された時間平均化信号と、ＤＣ側抵抗４６２によって分圧されたＤＣ側基準電圧と比較し、その電圧差に応じた電圧を出力する。そして、ＤＣ側トランジスタ４６４には、ＤＣ側コンパレータ４６３によって出力された電圧に基づいた電流が流れる。
【００４２】
また、この電流はＤＣ側カレントミラー回路４６５の左側トランジスタ４６５ａおよび右側トランジスタ４６５ｂにも流れる。そして、基準電流源４６８によって流される基準電流からＤＣ側カレントミラー回路４６５に流れる電流を減算した電流がＤＡ回路４６６に入力され、ＤＡ回路４６６によってアナログ信号へと変更される。このアナログ信号に対応する電流が電流回路部４２に流れてバックライト６２を駆動する。このように、輝度用ＰＷＭ信号に応じてバックライトの輝度を変更することができる。
【００４３】
また、昇圧用コンパレータ２２は、バックライト６２のカソード端子の電圧と基準電源２１（例えば０．２ｖ）を比較してその差を出力し、昇圧用ＰＷＭ回路２４は、その出力に応じて昇圧用のＰＷＭ信号である昇圧用ＰＷＭ信号を生成する。昇圧用トランジスタ２５は、昇圧用ＰＷＭ信号に応じてオンオフ制御がなされ、昇圧用トランジスタ２５がオン状態の場合には、昇圧用コイル２６にエネルギが蓄積される。そして、そのあと昇圧用トランジスタ２５がオフ状態となった場合には、昇圧用コイル２６に蓄積されたエネルギが昇圧用ダイオード２７を介して昇圧用コンデンサ２８に充電され、ひいては、バックライト６２のアノード側の電圧を昇圧することができる。また、ＬＰＦ部３０によって時間平均化された信号をＬＥＤドライバ部４０に入力しているため、ＰＷＭ信号の配線の周りをアルミ配線等でシールドするというようなノイズ対策を行う必要性は低くなるというメリットがある。また、ＬＰＦ部３０によって時間平均化された信号をＬＥＤドライバ部４０に入力しているため、輝度用ＰＷＭ信号によってバックライト６２の点灯・消灯が繰り返されることはないから、液晶の画像の揺れが感じにくくなる。
【００４４】
上記では、昇圧回路部２０は、昇圧用コンパレータ２２と、昇圧用ＰＷＭ回路２４と、昇圧用トランジスタ２５と、昇圧用コイル２６と、昇圧用ダイオード２７と、昇圧用コンデンサ２８とを含んで構成されるものとして説明したが、その他に昇圧機能を有する回路、例えばチャージポンプ回路を用いてもよい。この場合にも、ＬＰＦ部３０によって時間平均化された信号をＬＥＤドライバ部４０に入力しているため、ＰＷＭ信号の配線の周りをアルミ配線等でシールドするというようなノイズ対策を行う必要性は低くなるというメリットがある。
【００４５】
また、上記では、昇圧回路部２０は、バックライト６２のカソード端子からのフィードバック信号２９を入力として昇圧を行う昇圧回路として説明したが、フィードバック信号２９を入力としないオープンループの昇圧回路を用いてもよい。この場合にも、ＬＰＦ部３０によって時間平均化された信号をＬＥＤドライバ部４０に入力しているため、ＰＷＭ信号の配線の周りをアルミ配線等でシールドするというようなノイズ対策を行う必要性は低くなるというメリットがある。また、ＬＰＦ部３０によって時間平均化された信号をＬＥＤドライバ部４０に入力しているため、輝度用ＰＷＭ信号によってバックライト６２の点灯・消灯が繰り返されることはないから、液晶の画像の揺れが感じにくくなる。
【図面の簡単な説明】
【００４６】
【図１】本発明に係る実施の形態における発光素子駆動回路が設けられる液晶バックライト輝度変更システムを示す図である。
【図２】本発明に係る実施の形態における発光素子駆動回路部を示す図である。
【図３】電流値設定回路部とそれに接続される回路図である。
【符号の説明】
【００４７】
８  液晶バックライト輝度変更システム、１０  発光素子駆動回路部、２０  昇圧回路部、２１  基準電源、２２  昇圧用コンパレータ、２４  昇圧用ＰＷＭ回路、２５  昇圧用トランジスタ、２６  昇圧用コイル、２７  昇圧用ダイオード、２８  昇圧用コンデンサ、３０  ＬＰＦ部、４０  ＬＥＤドライバ部、４２  電流回路部、４６  電流値設定回路部、５０  映像処理回路部、６０  液晶部、６２  バックライト、７０  制御部、４６２  ＤＣ側抵抗、４６３  ＤＣ側コンパレータ、４６４  ＤＣ側トランジスタ、４６５ｂ  右側トランジスタ、４６５ａ  左側トランジスタ、４６５  ＤＣ側カレントミラー回路、４６６  ＤＡ回路、４６８  基準電流源。
【図１】
2009124027.tif 000003
【図２】
2009124027.tif 000004
【図３】
2009124027.tif 000005